【手続補正書】
【提出日】平成16年8月10日(2004.8.10)
【手続補正１】
【補正対象書類名】特許請求の範囲
【補正対象項目名】全文
【補正方法】変更
【補正の内容】
【特許請求の範囲】
【請求項１】
レンズ表面を含む眼科用累進レンズ要素であって、レンズ表面は、
遠方視力に対応する屈折力を実現する表面度数を有する上部観察領域と、
近方視力に対応する屈折力を実現する、上部観察領域とは異なる表面度数を有する下部観察領域と、
レンズ要素を横断して延び、表面度数が上部観察領域の表面度数から下部観察領域の表面度数まで変化する中間観察領域と、を有し、
上部、中間、下部観察領域の１つまたは複数が、対応する物体距離範囲に対して、選択されたぼけ指標を、低減または最小限にするように光学的に設計され、選択されたぼけ指標がＲＭＳ度数誤差であり、重み付きＲＭＳ度数誤差の表面積分が、上部、中間、下部観察領域の１つまたは複数において固定視位置からの規定された可変距離によって限定される領域上で最小限にされるように設計され、
眼科用レンズ要素の表面の周辺領域の少なくとも一部が、目眩の感覚と相関することが知られる１つまたは複数の表面特性を低減または最小限にするように設計されていることを特徴とする眼科用累進レンズ要素。
【請求項２】
ＲＭＳ度数誤差等高線が測定される固定視位置が、指定された付加度数を必要とする多くの患者に対する人口平均の瞳孔間距離と平均読み取り距離とを用いる平均固定視位置であることを特徴とする請求項１に記載のレンズ要素。
【請求項３】
重み付きＲＭＳ度数誤差が、上部および下部観察領域において最小限にされることを特徴とする請求項１に記載のレンズ要素。
【請求項４】
レンズ要素表面が、ぼけを低減する一方で実質的な両眼性または観察領域一致を下部および中間観察領域において維持するように設計されていることを特徴とする請求項３に記載のレンズ要素。
【請求項５】
レンズ要素表面の設計が、
ほぼＳ字状の三次式スプライン関数が、フィッティング・クロスと近方視力基準点との間の中間物体距離の全範囲を表現するようにフィッティングされ、
第２のほぼＳ字状の三次式スプライン関数が、この関数がフィッティング・クロスにおける着用者の焦点深度値を超えず近方視力基準点における必要な公称の指定表面付加度数を与えるように、レンズ光学バーゼンス付加度数の変化を表現するようにフィッティングされ、
光線追跡技術を用いた固定視位置に対応するラインがレンズ前面上で計算され、
重み付きＲＭＳ度数誤差の表面積分を低減または最小限にするために特定領域上で表面特性が最適化されるように、行なわれることを特徴とする請求項４に記載のレンズ要素。
【請求項６】
事前選択されたサジタル付加度数値からのずれまたは光線追跡されるレンズ・プリズムの周囲構成要素の変化度が低減または最小限にされるように、レンズ要素表面が周辺領域内で目眩を低減するように設計されることを特徴とする請求項１に記載のレンズ要素。
【請求項７】
事前選択されたサジタル付加度数値が、下部観察領域における公称の付加度数の半分にほぼ等しいことを特徴とする請求項６に記載のレンズ要素。
【請求項８】
レンズ要素表面がさらに、周辺領域内で表面非点収差の値を低減または最小限にするように設計されることを特徴とする請求項６に記載のレンズ要素。
【請求項９】
レンズ要素表面が、表面非点収差とサジタル付加度数変化との重み付き合計または光線追跡されるレンズ・プリズムの周囲構成要素の変化度を最小限にするようにデザインされることを特徴とする請求項８に記載のレンズ要素。
【請求項１０】
フィッティング・クロスから約３０ｍｍ半径まで延びる２つのセクタであってフィッティングクロスを通る水平線の中心から６０°の角度に広がるセクタにおけるサジタル付加度数の最大値が、下部観察領域における最大サジタル付加度数の３分の２を超えないことを特徴とする請求項９に記載のレンズ要素。
【請求項１１】
累進レンズ要素表面が、変更された表面非点収差分布を周辺領域において示すことを特徴とする請求項１に記載のレンズ要素。
【請求項１２】
周辺の表面非点収差の最大レベルが、累進レンズ要素のフィッティング・クロスの約３０ｍｍ半径以内の比較的低いレベルに維持されることを特徴とする請求項１１に記載のレンズ要素。
【請求項１３】
周辺の表面非点収差の最大レベルが、フィッティング・クロスの周囲の３０ｍｍ半径以内の累進レンズ要素の公称の付加度数を超えないことを特徴とする請求項１２に記載のレンズ要素。
【請求項１４】
上部観察領域に隣接する周辺領域における表面非点収差の分布が、下部観察領域に近接する領域の勾配に比較して低い勾配を示すことを特徴とする請求項１１に記載のレンズ要素。
【請求項１５】
各レンズ要素がレンズ表面を含む眼科用累進レンズ要素群であって、レンズ表面は、
遠方視力に対応する屈折力を実現する表面度数を有する上部観察領域と、
近方視力に対応する屈折力を実現する、上部観察領域とは異なる表面度数を有する下部観察領域と、
各レンズ要素を横断して延び、表面度数が上部観察領域の表面度数から下部観察領域の表面度数まで変化する中間観察領域と、を有し、
眼科用累進レンズ群は、第１の特定のカテゴリの患者に対する距離範囲の処方箋を与える際の使用に適したベース・カーブを有する第１のレンズ要素組を有し、組の中の各レンズ要素は、処方された付加度数が異なり、その累進設計は、各レンズ要素の上部、中間、下部観察領域の１つまたは複数が、対応する物体距離範囲に対して、選択されたぼけ指標を低減または最小限にするように光学的に設計され、選択されたぼけ指標がＲＭＳ度数誤差であり、重み付きＲＭＳ度数誤差の表面積分が、上部、中間、下部観察領域の１つまたは複数において固定視位置からの規定された可変距離によって限定される領域上で最小限にされるように設計されるように、行なわれ、
各レンズ要素表面の周辺領域の少なくとも一部が、目眩の感覚と相関することが知られる１つまたは複数の表面特性を低減または最小限にするように設計されることを特徴とする眼科用累進レンズ要素群。
【請求項１６】
ＲＭＳ度数誤差等高線が測定される固定視位置が、指定された付加度数を必要とする多くの患者に対する人口平均の瞳孔間距離と平均読み取り距離とを用いる平均固定視位置であることを特徴とする請求項１５に記載のレンズ要素群。
【請求項１７】
重み付きＲＭＳ度数誤差が、上部および下部観察領域において最小限にされることを特徴とする請求項１５に記載のレンズ要素群。
【請求項１８】
各レンズ要素表面が、ぼけを低減する一方で実質的な両眼性または観察領域一致を下部および中間観察領域において維持するように設計されることを特徴とする請求項１５に記載のレンズ要素群。
【請求項１９】
各レンズ要素表面の設計が、
ほぼＳ字状の三次式スプライン関数が、フィッティング・クロスと近方視力基準点との間の中間物体距離の全範囲を表現するようにフィッティングされ、
第２のほぼＳ字状の三次式スプライン関数が、この関数がフィッティング・クロスにおける着用者の焦点深度値を超えず近方視力基準点における必要な公称の指定表面付加度数を与えるように、レンズ光学バーゼンス付加度数の変化を表現するようにフィッティングされ、
光線追跡技術を用いた固定視位置に対応するラインがレンズ前面上で計算され、
重み付きＲＭＳ度数誤差の表面積分を低減または最小限にするように特定領域上で表面特性が最適化されるように、行なわれることを特徴とする請求項１８に記載のレンズ要素群。
【請求項２０】
事前選択されたサジタル付加度数値からのずれまたは光線追跡されるレンズ・プリズムの周囲構成要素の変化度が低減または最小限にされるように、各レンズ要素表面が周辺領域内での目眩を低減するように設計されることを特徴とする請求項１５に記載のレンズ要素群。
【請求項２１】
事前選択されたサジタル付加度数値が、近方観察領域における公称の付加度数の半分にほぼ等しいことを特徴とする請求項２０に記載のレンズ要素群。
【請求項２２】
各レンズ要素表面がさらに、周辺領域内で表面非点収差の値を低減または最小限にするようにデザインされることを特徴とする請求項２０に記載のレンズ要素群。
【請求項２３】
各レンズ要素表面が、表面非点収差とサジタル付加度数変化との重み付き合計または光線追跡されるレンズ・プリズムの周囲構成要素の変化度を最小限にするように設計されることを特徴とする請求項２２に記載のレンズ要素群。
【請求項２４】
フィッティング・クロスから約３０ｍｍ半径まで延びる２つのセクタであってフィッティング・クロスを通る水平線の中心から６０°の角度に広がるセクタにおけるサジタル付加度数の最大値が、近方観察領域における最大サジタル付加度数の３分の２を超えないことを特徴とする請求項２３に記載のレンズ要素群。
【請求項２５】
各レンズ要素表面が、変更された表面度数分布および／または表面非点収差分布を周辺領域において示すことを特徴とする請求項１５に記載のレンズ要素群。
【請求項２６】
周辺の表面非点収差の最大レベルが、各レンズ要素のフィッティング・クロスの約３０ｍｍ半径以内の比較的低いレベルに維持されることを特徴とする請求項２５に記載のレンズ要素群。
【請求項２７】
第１のカテゴリの患者が正視眼患者である請求項１５に記載のレンズ要素群。
【請求項２８】
上部観察領域および下部観察領域の設計が、各レンズ要素の指定された付加度数において平均的な着用者に対して実質的に等しい満足を与えるようなものであり、上部および下部観察領域における光学的視野の個々のサイズが、遠方および近方視力に対する光学性能を実質的にバランスさせるように選択されることを特徴とする請求項２７に記載のレンズ要素群。
【請求項２９】
第２のカテゴリの患者に対する距離範囲の処方箋を与える際の使用に適したベース・カーブを有する第２のレンズ要素組をさらに含み、
組の中にある各レンズ要素は、処方された付加度数が異なり、その累進設計は、各レンズ要素の上部、中間、下部観察領域の１つまたは複数が、対応する物体距離範囲に対して、選択されたぼけ指標を最小限にするように光学的に設計されるように、行なわれ、
各レンズ要素表面の周辺領域の少なくとも一部が、目眩の感覚と相関することが知られる１つまたは複数の表面特性を最小限にするように設計され、
ぼけを最小限にするように最適化された観察領域における第１の組の中のレンズ要素の表面特性は、第２の組の中の対応するレンズ要素と、このベース・カーブ用のＲｘ範囲の光学的要求が異なるために、累進設計が実質的に異なることを特徴とする請求項１５に記載のレンズ要素群。
【請求項３０】
第１のカテゴリの患者が正視眼患者であり、第２のカテゴリの患者が近視眼患者であることを特徴とする請求項２９に記載のレンズ要素群。
【請求項３１】
第３のカテゴリの患者に対する距離範囲の処方箋を与える際の使用に適したベース・カーブを有する第３のレンズ要素組をさらに含み、
第３の組の中にある各レンズ要素は、処方された付加度数が異なり、その累進設計は、各レンズ要素の上部、中間、下部観察領域の１つまたは複数が、対応する物体距離範囲に対して、選択されたぼけ指標を最小限にするように光学的に設計されるように、行なわれ、
各レンズ要素表面の周辺領域の少なくとも一部が、目眩の感覚と相関することが知られる１つまたは複数の表面特性を最小限にするように設計され、
ぼけを最小限にするように最適化された観察領域における第３の組の中のレンズ要素の表面特性は、第１および第２の組の中の同じ付加度数における対応するレンズ要素と、このベース・カーブ用のＲｘ範囲の光学的要求が異なるために、累進デザインが実質的に異なることを特徴とする請求項２９に記載のレンズ要素群。
【請求項３２】
第３のカテゴリの患者が、遠視眼患者であることを特徴とする請求項３１に記載のレンズ要素群。
【請求項３３】
下部観察領域におけるクリヤーな光学的視野のサイズが、ベース・カーブに関係なく、事前選択された距離だけ着用者の眼から間隔を置いて配置された物体に対して実質的に一定に維持され、クリヤーな光学的視野は、約０．７５Ｄに対応するＲＭＳ度数誤差等高線によって限定される領域として測定されることを特徴とする請求項３１に記載のレンズ要素群。
【請求項３４】
レンズ要素が少なくとも４つのベース・カーブを有し、レンズ要素は９〜１２の付加度数を０．２５Ｄ単位で有することを特徴とする請求項１５に記載のレンズ要素群。
【請求項３５】
組の中の各レンズ要素が、
低付加度数を有するものは、フィッティング・クロス直下の比較的浅い度数進行プロファイルを示し、
高付加度数を有するものは、ＦＣ直下の比較的急な度数進行と近方視力基準点下方への表面度数の減衰とを示すことを特徴とする請求項１５に記載のレンズ要素群。
【請求項３６】
レンズ表面を含む眼科用累進レンズ要素であって、レンズ表面は、
遠方視力に対応する屈折力を実現する表面度数を有する上部観察領域と、
近方視力に対応する屈折力を実現する、上部観察領域とは異なる表面度数を有する下部観察領域と、
レンズ要素を横断して延び、表面度数が上部観察領域の表面度数から下部観察領域の表面度数まで変化する中間観察領域と、を有し、
上部、中間、下部観察領域の１つまたは複数が、対応する物体距離範囲に対して、選択されたぼけ指標を低減または最小限にするように光学的に設計され、選択されたぼけ指標がＲＭＳ度数誤差であり、重み付きＲＭＳ度数誤差の表面積分が、上部、中間、下部観察領域の１つまたは複数において固定視位置からの規定された可変距離によって限定される領域上で最小限にされるように設計され、
レンズ要素表面の周辺領域の少なくとも一部が、目眩の感覚と相関することが知られる１つまたは複数の表面特性を低減または最小限にするようにデザインされ、
中間観察領域におけるレンズ要素の観察領域一致の程度が増加され、結果として、下部観察領域においてわずかに減少されることを特徴とする眼科用累進レンズ要素。
【請求項３７】
観察領域一致の程度が、結果として、下部観察領域において煩わしいぼけに関連する等高線の先端でわずかに減少される請求項３６に記載のレンズ要素。
【請求項３８】
第１のレンズ表面を含む眼科用累進レンズ要素の設計方法であって、第１のレンズ表面は、
遠方視力に対応する表面度数を有する上部観察領域と、
近方視力に対応する屈折力を実現する、上部観察領域とは異なる表面度数を有する下部観察領域と、
レンズ要素を横断して延び、表面度数が上部観察領域の表面度数から下部観察領域の表面度数まで変化する中間観察領域と、を有し、
各レンズ要素の上部、中間、下部観察領域の１つまたは複数が、対応する物体距離範囲に対して、選択されたぼけ指標を最小限にするように光学的に設計され、
各レンズ要素表面のレンズ要素表面の周辺領域の少なくとも一部が、目眩の感覚と相関することが知られる１つまたは複数の表面特性を最小限にするように設計され、
前記方法は、
レンズ表面に対するベース表面関数を選択するステップであって、
対称的なデザインの場合には、ベース表面関数は、以下のようなテーラ展開であり、
【数１】
2005512121.tif 000001
ここで、関数ｚ０（ｙ）およびｈ（ｙ）は、所望の眼経路度数進行プロファイルｐ（ｙ）によって決定され、
関数ｇｉ（ｙ）は自由係数であり、
非対称なデザインの場合には、ｘ座標の代わりに、変換された等価物ζ＝ｘ−ｕ（ｙ）を使用し、
関数ｕ（ｙ）は、眼経路に沿っての挿入物の変化を表現し、
ζの奇数のベキ乗がテーラ展開に加えられるようにされた、選択ステップと、
光学観察領域内で重み付きの光線追跡されたＲＭＳ度数誤差を最小限にするための第１のメリット関数を選択するステップと、
眼科用レンズ要素の上部および下部観察領域内で第１のメリット関数を最小限にする表面関数の係数ｇｉ（ｙ）を計算するステップと、
少なくとも周辺領域内で、目眩の間隔と相関することが知られる１つまたは複数の表面特性を最小限にする第２のメリット関数を別個に選択するステップと、
眼科用レンズ要素の周辺領域内で第２のメリット関数を最小限にする表面関数の係数を計算するステップと、
前記変更された表面関数に従って成形されたレンズ表面を有する眼科用レンズ要素を作製するステップと、を含むことを特徴とする眼科用累進レンズ要素の設計方法。
【請求項３９】
第２のメリット関数は、周辺領域内で、事前選択されたサジタル付加度数値からのずれまたは光線追跡されるレンズ・プリズムの周囲構成要素の変化度を最小限にするように、設定されることを特徴とする請求項３８に記載の方法。
【請求項４０】
第２のメリット関数がさらに、周辺領域内で表面非点収差の値を最小限にするように設定される請求項３８に記載の方法。
【請求項４１】
第２のメリット関数が、以下のような合成メリット関数Ｍであり
【数２】
2005512121.tif 000002
ここで、
【数３】
2005512121.tif 000003
および、
【数４】
2005512121.tif 000004
ここで、εＲＭＳは、特定の出発表面に対する、表面の光線追跡されたＲＭＳ度数誤差であり、
Δは、表面非点収差であり、
Ｋθθはサジタル曲率であり、
Ｐθは特定の目標サジタル曲率であり、
ＷＦ、Ｗ１、Ｗ２は、適切に選択された重みであり、
ＲＦは、主に中心視覚用であるレンズ部分であり、
ＲＰは、周辺視覚専用のレンズ部分であることを特徴とする請求項４０に記載の方法。